(57)【要約】【課題】  接地板から起立させたネジ棒に螺合して床板を支持する支持部材をネジ棒に螺合するナットと床板を支持するナットホルダーとで構成し、ナットをナットホルダーに遊びがないように収容する。【解決手段】  基礎床上に置かれる接地板から立設されたネジ棒に支持部材を螺装し、この支持部材で床板を支持する二重床用支柱において、支持部材をナットホルダーにナットを収容したもので構成し、ナットホルダーは、側面にナットを横方向から挿入する導入部と、導入部の内方に導入部に連続してナットを回転不能、かつ上下移動不能に位置決め保持するポケット部と、ポケット部の上下にネジ棒を回転可能に収容する挿通孔とを有し、ポケット部は、ナットに圧接して上下方向の遊びをなくする突起体を有していることを特徴とする二重床用支柱。【選択図】        図１
2005105733.tif 000002
【特許請求の範囲】
【請求項１】
基礎床上に置かれる接地板から立設されたネジ棒に支持部材を螺装し、この支持部材で床板を支持する二重床用支柱において、支持部材をナットホルダーにナットを収容したもので構成し、ナットホルダーは、側面にナットを横方向から挿入する導入部と、導入部の内方に導入部に連続してナットを回転不能、かつ上下移動不能に位置決め保持するポケット部と、ポケット部の上下にネジ棒を回転可能に収容する挿通孔とを有し、ポケット部は、ナットに圧接して上下方向の遊びをなくする突起体を有していることを特徴とする二重床用支柱。
【請求項２】
突起体は、ポケット部におけるナットの下向面に当接する位置に設けられており、ナット収容時、ナットの上面をポケット部の天井面に下方から押し付ける請求項１の二重床用支柱。
【請求項３】
突起体は、ナットの挿入方向に延設された、可撓性を有する凸条である請求項２の二重床用支柱。
【請求項４】
ナットにおける突起体との当接部位が、突起体の傾倒を誘発する傾斜面に形成されている請求項３の二重床用支柱。
【請求項５】
突起体は、ナット収容時、自身の傾倒を誘発するように傾斜している請求項３の二重床用支柱。
【請求項６】
ポケット部は、ナット挿入時に変形してナットの通過を許容するとともに、ナット挿入後に復帰してナットの角部に係止し、ナットの導入部側への移動を規制する乗り越し突起を有する請求項１〜５いずれかの二重床用支柱。
【請求項７】
導入部の下方の支持部材の側面には、ネジ棒を側方から挿通孔に取込み可能なスリ割り溝を設け、ポケット部の上方及び／又は下方の挿通孔には、ネジ棒に圧接して緩み止めを図る圧接部を設けた請求項１〜６いずれかの二重床用支柱。
【発明の詳細な説明】
【技術分野】
【０００１】
本発明は、床板を基礎床から一定高さ浮かせて敷設し、基礎床との間に所用空間を確保する二重床において、床板を基礎床上に支持する二重床用支柱に関するものである。
【背景技術】
【０００２】
この種の二重床は、床板を支柱によって基礎床上に支持するが、この支柱には、一個の個体で形成した（床板と一体となったものもある）高さが固定した固定式と、ネジ等を利用して床板を載置する上部と基礎床に接地する下部とを回転させることで、高さを調整できる調整式とがある。このうち、調整式は、コストが高くつき、また、調整操作も必要とするが、不陸を吸収するには適しているから、不陸の比較的大きい基礎床や広い面積の基礎床に二重床を構築する場合に多く用いられている。
【０００３】
さらに、調整式についても、集合する四枚の床板のコーナー部を一個の支柱でまとめて支持する一本（又は一個）支柱タイプのものと、床板を個別に支持する四本支柱タイプのものとがある。前者のものは、コストが安く、調整操作も簡単であるが、調整に際して四枚の床板が同じ動きをするから、各床板を個別に調整するには無理がある。このため、厳密で精度の高い調整を必要とする場合には、四本支柱タイプのものを使用している。
【０００４】
四本支柱タイプのものには、基礎床に固定又は設置される接地板に四本のネジ棒を起立させ、このネジ棒にそれぞれナット体を螺装して各ナット体で集合する床板のそれぞれのコーナー部を支持する構成のものが多い。これにおいて、ナット体は、床板との緩衝性を考慮して合成樹脂等で形成することが多いが、このようなナット体に直接ネジを形成したのでは強度的に劣るとともに、成形そのものもコストがかかる。
【０００５】
そこで、下記特許文献１に見られるように、ナット体を金属製のナットとこれを保持する樹脂製のナットホルダーとで構成しているものがある。この先行例のものは、ナットホルダーの下端に六角ナットを収容する同じく六角形に形成されたポケット部を形成し、ナットをナットホルダーの下方からこのポケット部に圧入して保持するものと思われる。
【特許文献１】特開２００１−４９８５５号公報
【発明の開示】
【発明が解決しようとする課題】
【０００６】
したがって、ナットとナットホルダーとの固着力が弱く、地震等の振動でナットホルダー（床板）がネジ棒に螺合されたナットから浮き上がり、最悪の場合ナットホルダー（床板）が外れて抜け落ちるようなことがある。また、ナット及びポケット部の寸法には製作上バラツキは避けられず、ナットの方が大きいときには、挿入が不完全で床板にかかる荷重によってナットホルダーが沈み込んだりする。一方、ナットの方が小さいときには、ナットとナットホルダーに回転方向にガタが生じたり、ナットホルダーを持ち上げると、ナットが抜け落ちたりする。これを改善するには、ナットホルダーの成形時にナットをインサートしたり、ナットとナットホルダーとを接着したりすることが考えられるが、いずれも大幅なコスト高を招く。
【０００７】
また、ネジ棒に対するナットホルダーの螺装操作を容易にするため、予めナットをネジ棒に螺合しておき、このナットに対してナットホルダーを上方から降ろして装着することがある。このような場合、ナットホルダーの下面側に形成されたポケット部の六角形状の角度関係は下から覗き込まない限り外部からではわからないから、手探りで角度を合わせたり、何回かやり直しをしたりする操作を強いられることになり、いずれも煩雑さは避けられない。
【課題を解決するための手段】
【０００８】
以上の課題の下、本発明は、請求項１に記載した、基礎床上に置かれる接地板から立設されたネジ棒に支持部材を螺装し、この支持部材で床板を支持する二重床用支柱において、支持部材をナットホルダーにナットを収容したもので構成し、ナットホルダーは、側面にナットを横方向から挿入する導入部と、導入部の内方に導入部に連続してナットを回転不能、かつ上下移動不能に位置決め保持するポケット部と、ポケット部の上下にネジ棒を回転可能に収容する挿通孔とを有し、ポケット部は、ナットに圧接して上下方向の遊びをなくする突起体を有していることを特徴とする二重床用支柱を提供したものである。
【０００９】
この構成に付加するものとして、本発明は、請求項２の、突起体は、ポケット部におけるナットの下向面に当接する位置に設けられており、ナット収容時、ナットの上面をポケット部の天井面に下方から押し付ける構成、請求項３の、突起体は、ナットの挿入方向に延設された、可撓性を有する凸条である構成、請求項４の、ナットにおける突起体との当接部位が、突起体の傾倒を誘発する傾斜面に形成されている構成、請求項５の、突起体は、ナット収容時、自身の傾倒を誘発するように傾斜している構成を提供する。
【００１０】
さらに、請求項６の、ポケット部は、ナット挿入時に変形してナットの通過を許容するとともに、ナット挿入後に復帰してナットの角部に係止し、ナットの導入部側への移動を規制する乗り越し突起を有する構成、請求項７の、導入部の下方の支持部材の側面には、ネジ棒を側方から挿通孔に取込み可能なスリ割り溝を設け、ポケット部の上方及び／又は下方の挿通孔には、ネジ棒に圧接して緩み止めを図る圧接部を設けた構成を提供する。
【発明の効果】
【００１１】
本発明（請求項１）によれば、ナットホルダーのポケット部に設けられた突起体によってナットは上下方向に圧接された状態で収納され、上下方向の遊びはなくなる。さらに、ナットの寸法がポケット部の寸法より小さいときに生ずる回転方向のガタツキも防止される。したがって、ナットホルダーで床板を支持した場合、上下及び水平方向の力に対して抵抗力が強く、耐震性能において優れたものとなる。
【００１２】
さらに、ナットは、ナットホルダーの側面に形成された導入部から挿入されるものであるから、導入部とポケット部の角度を合わせておくことで、ナットを導入部から挿入すると、ナットはポケット部の正規位置に収まるようにすることができる。また、ポケット部下方の従来ナットの挿入路となっていた部分を塞ぐことができるから、ナットの上下動を規制することができる。したがって、導入部及びポケット部の寸法をナットのそれよりもやや大きくしておくことで、ナットがポケット部へ完全に挿入できないといった事態もなくなる。なお、これに基づくガタは、ポケット部に設けられた突起体でナットを上下方向に圧接することで解消できる。さらには、ポケット部の寸法のバラツキに対しても突起体が変形してこれを吸収するから確実にナットが挿入でき、しかも上下方向の遊びがなくなる。
【発明を実施するための最良の形態】
【００１３】
以下、本発明の実施の形態を図面を参照して説明する。図１は本発明に係る二重床用支柱を用いた二重床構造の斜視図、図２は当該支柱を構成する接地板と支持部材の斜視図、図３は支柱の平面図であるが、この二重床は、正方形配置される四本のネジ棒１が立設されて基礎床２上に置かれる接地板３と、ネジ棒１に螺装される支持部材４と、支持部材４で支持される床板５とからなる。なお、本例の接地板３は、その上面に、床板５を敷設するときの便のために方向性を指示するマークや記号の指標３ａが設けられている。
【００１４】
図６は支持部材４を構成するナットホルダー７の正面図、図７は図６のＢーＢ断面図であるが、この支持部材４は、ネジ棒１に螺装されるものであり、本発明では、この支持部材４を、ネジ棒１に直接螺合する金属製の六角ナット（以下、ナット）６と、このナット６を保持する樹脂製のナットホルダー７とで構成している。これにおいて、ナットホルダー７は、中段に径大な受座８が、その上方に床板５に挿入される径小な挿入部９が形成された筒状体であり、受座８の下方にナット６を収納するポケット部１０が形成されたものである。
【００１５】
このポケット部１０の側面には、ポケット部１０に通ずる導入部１１が形成されており、ナット６は、この導入部１１に横方向から挿入されてポケット部１０に収納されるようになっている。これにおいて、導入部１１及びポケット部１０は、ナット６の対向辺の幅を有しており、導入部１１を通ってポケット部１０に収容されたナット６は回転不能に保持される。図９は導入部１１及びポケット部１０を示す図４のＣーＣ断面図であるが、ポケット部１０の壁面には、収納されたナット６の角部辺りに位置する乗り越し突起１２が形成されており、一旦、ポケット部１０に収納されたナット６は、これによって抜出が規制されるようになっている。したがって、乗り越し突起１２は、ナット６が挿入されるときには変形してその通過を許容し、通過後は原形復帰して抜出を規制する働きをする。なお、この働きをする乗り越し突起１２には弾性が要求されるが、ナットホルダー７は樹脂製であるから、ポケット部１０に一体成形しておけばよい。
【００１６】
ポケット部１０の上下には、ネジ棒１を相対的に回転可能に収容する挿通孔１３が形成されており、ポケット部１０に収納されたナット６をネジ棒１に螺合すると、ネジ棒１をナットホルダー７（挿通孔１３）内へ取り込めるようになっている。この場合、ポケット部９の形状は、挿入されるナット６の形状に応じて形成され、図７等で示した鍔６ａが付いたものであれば、ナット６の下方への抜け止めを図る上向面１４が、ナット６本体の下面に位置する第１上向面１４ａと、鍔６ａの下面に位置する第２上向面１４ｂとが形成されるものになっている。
【００１７】
本発明では、ポケット部１０に収納されたナット６は、その上面がポケット部１０の天井面１５に圧接されて上下動が完全に規制されるようになっている。この圧接を行うために、本発明では、上向面１４に突起体１６を形成している。図８は上向面１４に突起体１６を形成した状態を示すナットホルダー７の縦断面図であるが、本例の突起体１６は、鍔６ａを支持するポケット部１０の左右の第２上向面１４ｂに可撓性を有する凸条１６ａをナット６の挿入方向に沿って設けたもので形成している。なお、ナットホルダー７は樹脂製であるから、凸条１６ａをこれに一体成形しておけば、可撓性を有するものとなる。
【００１８】
これにおいて、凸条１６ａの頂部と天井面１５との高さは該当する鍔６ａの高さよりも小さくしてあり、凸条１６ａの上にナット６の鍔６ａが載ると、自らが変形（圧縮又は傾倒）してナット６を天井面１５に圧接する。これにより、ナット６は、ポケット部１０において、上向面１４（突起体１６）と天井面１５とで上下に圧接され、上下の遊びが吸収される。凸条１６ａの変形の代表的なものは、自らが傾倒することであるが、凸条１６ａに接触する鍔６ａの端は、自然に外方に傾斜しているから、これによって傾倒が誘発される。なお、図示は省略するが、この傾倒をより確実にするために、予め傾倒させた凸条１６ａを形成しておくことも考えられる。また、突起体１６は、ポケット部１０の内側面から水平方向に突設させたものでもよく、ナット６を上下方向に圧接できる構造であればよい。
【００１９】
図１４は凸条１６ａの他の例を示すナットホルダー７の縦断面図であるが、このように、鍔６ａ付きのナット６を使用したときに上向面１４が第１上向面１４ａと第２上向面１４ｂとで形成されるような場合は、それぞれの面に凸条１６ａａ、１６ａｂを形成しておくのが適する。こうすると、より強い圧接が可能になるからである。図１５も凸条１６ａの他の例を示すナットホルダー７の縦断面図であるが、このように、鍔がないナット６を使用する場合には、ナット６の端は全体が外方に傾斜していないため、第１上向面１４ａに予め傾倒させた凸条１６ａを形成しておくことになる。
【００２０】
ナットホルダー７のネジ棒１への螺装は、最初にナット６をナットホルダー７に収納しておき、これでネジ棒１に螺装してもよいが、挿通孔１３の壁面には後述するネジ棒１に圧接してナットホルダー７の緩み止めを図る圧接部２７を設けているため、ネジ棒１との間に回転抵抗が生じる。そこで、予めナット６をネジ棒１に螺合しておき、この状態のナット６をナットホルダー７へ取り込むのが、操作上好ましい。このため、導入部１１下方の側面には、挿通孔１３に通ずるスリ割り溝１７を形成しておき、ナット６を螺合したネジ棒１を側方から直接取り込めるようにしている。なお、このスリ割り溝１７は、導入部１１の下方にのみ形成されているものであるから、ナット６は、ネジ棒１の先端に螺合されていなければならない。ただし、挿通孔１３は、ポケット部１０の上方にも続いているから、ネジ棒１を取り込んだ後は、ナットホルダー７を締め込んでナット６の上方にネジ棒１を抜け出させることができる（ナットボルダー７の位置を下げることができる）。
【００２１】
二重床の構築に際しては、工場組立時に以上の操作を一つの接地板３に設けられた四本のネジ棒１についてすべて行う。このとき、各ナットホルダー７は、を設定した高さまで降ろしてあるので、この接地板３を敷き詰める床板５のコーナー部にセットして行くだけでよい。図４はこの支柱によって床板５を支持した状態の断面図であるが、各ナットホルダー７で各床板５を支持するとき、その操作は、床板５のコーナー部に形成された嵌合孔１８をナットホルダー７の挿入部９に嵌め込み、受座８で床板５の底を支持する。この嵌合孔１８は、床板５の上面側がザグリ孔となっていることから、床板５の上方から床板押えネジ１９をこの嵌合孔１８に嵌合し、挿入部９の上端に形成されたネジ孔２０にねじ込んで固定する。
【００２２】
なお、このネジ孔２０の上方には、これよりも径大な六角形をした係合孔２１も形成されており、六角レンチ等を嵌合孔１８からこの係合孔２１に差し込んで回すと、ナットホルダー７はネジ棒１に対して回転して上下する。この操作は、床板５を支持した後にその高さを上下調整するときに行う。この他、床板５の上には、通常、表面仕上げ材５ａが敷かれる。
【００２３】
本例の場合、床板５と受座８との間に挿入部９に嵌合されるライナー２２を介在させ、ナットホルダー７の位置を床板５に対して相対的に下げている。このライナー２２の目的については後述するが、このようなライナー２２を用いると、挿入部９の上端と床板５の上面との間には隙間（陥没）２８が生ずることになる。そこで、床板押えネジ１９を嵌合孔１８に嵌合し、そのネジ部を隙間２８を通してネジ孔２０にねじ込んで床板５をナットホルダー７に固定する。このとき、床板押えネジ１９の頭部の上面と床板５の上面とがほぼ同じ高さになるように嵌合孔１８のザグリ部の深さを設定しておく。床板押えネジ１９が床板５から突出したり、陥没したりしないためである。
【００２４】
ところで、すべての床板５を床板押えネジ１９で固定する必要はなく、施工コストの低減のためにも非難通路の部分等の重要な床板５のみを固定すればよく、場合によってはまったく固定しないこともある。図５は固定しない状態を示す断面図であるが、このように、非固定の床板５には、ライナー２２を取り去り、嵌合孔１８に挿入部９を挿通しただけにしておく。このとき、挿入部９の上端と床板５の上面とに段差があってはならないから、ライナー２２の厚みは、上記した隙間２８の深さと等しくしておく。
【００２５】
これら受座８、ライナー２２及び床板５は相互に滑らないのが好ましい。これは、床板押えネジ１９をナットホルダー７のネジ孔２０にねじ込む際、床板５の重量が十分に受座８にかかっていないと、ナットホルダー７が共回りして締め付けられないことがあるからである。一方、共回りすると、ナットホルダー７の高さが狂って床板５にガタが生じてしまう。したがって、共回りは避けなければならない。
【００２６】
図１２は床板５の一部底面図、図１３はライナー２２の表裏面及び正面図であるが、本例の場合、受座８とライナー２２の上面には凸条２３、２４を放射状に形成し、ライナー２２と床板５の下面にはこれら凸条２３、２４と係合し合う凹条２５、２６を形成している。これによると、ナットホルダー７が共回りしても、凸条２３、２４と凹条２５、２６の位置が合うと、相互に係合して共回りしなくなる。なお、凸条２３、２４や凹条２５、２６は上下関係を逆にしてもよいし、これに代えて凸体や凹みであってもよい。
【００２７】
ネジ棒１に螺装したナットホルダー７で床板５を支持したとき、床板５に繰り返し荷重等がかかっても、ナットホルダー７は、ネジ棒１に対して緩まないのが好ましい。これが緩むと、ナットホルダー７が下がって床板５との間に隙間が生じ、歩く度に音鳴りが生じたり、ふわふわ感が生じたりするからである。そこで、本例では、挿通孔１３の壁面にネジ棒１に圧接する圧接部２７を設けて緩み止めを図っている。
【００２８】
図１０は圧接部２７を示す図４のＤーＤ断面図、図１１は同じくＥーＥ断面図であるが、このように、挿通孔１３にネジ棒１に圧接する圧接部２７を形成したものである。この圧接部２７は、ナットホルダー７に一体成形すればよい。なお、圧接部２７は、本例のように部分的に圧接しているものの他、ネジ棒１の全周に圧接しているものでもよく、要は、ネジ棒１への組付け性と緩み止め効果との兼ね合いによって調整するとよい。さらに、圧接部２７の高さは、挿通孔１３の全部（ポケット部１０の上方も）に亘っているものでもよいし、部分的であってもよい。
【図面の簡単な説明】
【００２９】
【図１】二重床用支柱を用いる二重床構造の斜視図である。
【図２】接地板と支持部材の斜視図である。
【図３】支柱の平面図である。
【図４】支柱による床板支持の断面図である。
【図５】支柱による床板支持の断面図である。
【図６】支持部材を構成するナットホルダーの正面図である。
【図７】図６のＢーＢ断面図である。
【図８】ナットホルダーの縦断面図である。
【図９】図４のＣーＣ断面図である。
【図１０】図４のＤーＤ断面図である。
【図１１】図４のＥーＥ断面図である。
【図１２】床板の一部底面図である。
【図１３】ライナーの表裏面及び正面図である。
【図１４】ナットホルダーの縦断面図である。
【図１５】ナットホルダーの縦断面図である。
【符号の説明】
【００３０】
１      ネジ棒
２      基礎床
３      接地板
３ａ    指標
４      支持部材
５      床板
５ａ    表面仕上げ材
６      ナット
６ａ    鍔
７      ナットホルダー
８      受座
９      挿入部
１０    ポケット部
１１    導入部
１２    乗り越し突起
１３    挿通孔
１４    上向面
１４ａ  第１上向面
１４ｂ  第２上向面
１５    天井面
１６    突起体
１６ａ  凸条
１６ａａ凸条
１６ａｂ凸条
１７    スリ割り溝
１８    嵌合孔
１９    床板押えネジ
２０    ネジ孔
２１    係合孔
２２    ライナー
２３    凸条（受座）
２４    凸条（ライナー）
２５    凹条（ライナー）
２６    凹条（床板）
２７    圧接部
２８    隙間（陥没）
【図１】
2005105733.tif 000003
【図２】
2005105733.tif 000004
【図３】
2005105733.tif 000005
【図４】
2005105733.tif 000006
【図５】
2005105733.tif 000007
【図６】
2005105733.tif 000008
【図７】
2005105733.tif 000009
【図８】
2005105733.tif 000010
【図９】
2005105733.tif 000011
【図１０】
2005105733.tif 000012
【図１１】
2005105733.tif 000013
【図１２】
2005105733.tif 000014
【図１３】
2005105733.tif 000015
【図１４】
2005105733.tif 000016
【図１５】
2005105733.tif 000017